【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
支持体と、粘着剤とを積層してなる関節部貼付材であって、
外方が開口する凹部を挟んで対峙する一対の腕部と、両腕部の基端部を連結する連結部とからなる横長Ｕ字型に形成され、
上記凹部の内周部横幅をｘ、上記凹部の内周部深さをｄ、上記腕部の横幅をｗ、上記凹部と上記連結部を含む外周縦幅をhとしたとき、
ｘ＝４０±２０（ｍｍ）、
ｄ＝０．７ｘ〜１．５ｘ（ｍｍ）、
ｗ＝２５〜２ｘ（ｍｍ）、
ｈ＝ｄ＋２５〜１．３（ｘ＋２ｗ）（ｍｍ）であり、
貼付の際に関節部の屈曲方向となる支持体方向において伸縮性を有するように、上記支持体が、縦横２方向のうち少なくとも１方向に伸縮性を有し、
上記伸縮性を有する方向への１０％引張荷重が１．０Ｎ／２５ｍｍ以下の範囲、５０％引張荷重が１５Ｎ／２５ｍｍ以下の範囲である、
ことを特徴とする関節部貼付材。
【請求項２】
請求項1に記載の関節部貼付材において、
上記支持体と粘着剤の積層体の剛軟度が少なくとも１１ｍｍ以上である、ことを特徴とする関節部貼付材。
【請求項３】
請求項1又は２に記載の関節部貼付材において、
上記両腕部の開口側の先端角部が凸円弧状に形成されると共に、上記両腕部の基端側と上記連結部を結ぶ外側辺が内方に凹んだ緩やかな曲線状に形成されている、ことを特徴とする関節部貼付材。
【請求項４】
請求項１ないし３のいずれかに記載の関節部貼付材において、
上記連結部における上記凹部と対向する外側辺が凹円弧状に形成されている、ことを特徴とする関節部貼付材。
【請求項５】
請求項１ないし４のいずれかに記載の関節部貼付材において、
上記粘着剤に、サリチル酸メチル、l-メントール、カンフル、ノニル酸ワニリルアミド等の薬効成分を１種又は２種以上含有してなる、ことを特徴とする関節部貼付材。
【請求項６】
請求項１ないし５のいずれかに記載の関節部貼付材において、
上記支持体と粘着剤の積層体の総厚が０．５５〜０．７５ｍｍの範囲である、ことを特徴とする関節部貼付材。
【請求項７】
請求項１ないし６のいずれかに記載の関節部貼付材において、
上記粘着剤に対して剥離可能なライナーを更に具備し、上記ライナーは、上記凹部の底部における中心から偏倚した位置と上記連結部の曲線状外側辺の位置とを結ぶ一対のスリットによって三分割に形成されている、ことを特徴とする関節部貼付材。
【請求項８】
請求項７に記載の関節部貼付材において、
上記スリットが波形曲線状に形成されている、ことを特徴とする関節部貼付材。
【手続補正２】
【補正対象書類名】明細書
【補正対象項目名】００１３
【補正方法】変更
【補正の内容】
【００１３】
上記課題を解決するために、本発明は、支持体と、粘着剤とを積層してなる関節部貼付材であって、外方が開口する凹部を挟んで対峙する一対の腕部と、両腕部の基端部を連結する連結部とからなる横長Ｕ字型に形成され、上記凹部の内周部横幅をｘ、上記凹部の内周部深さをｄ、上記腕部の横幅をｗ、上記凹部と上記連結部を含む外周縦幅をhとしたとき、
ｘ＝４０±２０（ｍｍ）、
ｄ＝０．７ｘ〜１．５ｘ（ｍｍ）、
ｗ＝２５〜２ｘ（ｍｍ）、
ｈ＝ｄ＋２５〜１．３（ｘ＋２ｗ）（ｍｍ）であり、
貼付の際に関節部の屈曲方向となる支持体方向において伸縮性を有するように、上記支持体が、縦横２方向のうち少なくとも１方向に伸縮性を有し、上記伸縮性を有する方向への１０％引張荷重が１．０Ｎ／２５ｍｍ以下の範囲、５０％引張荷重が１５Ｎ／２５ｍｍ以下の範囲である、ことを特徴とする（請求項１）。
この場合、上記支持体と粘着剤の積層体の剛軟度が少なくとも１１ｍｍ以上であるのが好ましい（請求項２）。
【手続補正３】
【補正対象書類名】明細書
【補正対象項目名】００１４
【補正方法】変更
【補正の内容】
【００１４】
このように構成することにより、本発明に係る貼付材を、親指、くるぶし、肘、膝等の各関節に装着した場合に、関節の一部を開放した状態で関節の突起部分を凹部と一対の腕部とで包み込むようにして貼付することができ、好適なサポート感やフィット感を得ることができる。
また、１０％引張荷重が１．０Ｎ／２５ｍｍよりも大きい、または５０％引張荷重が１５Ｎ／２５ｍｍよりも大きいと、関節部を曲げ伸ばしした際に突っ張り感を感じたり、皮膚に負荷がかかるため皮膚刺激を引き起こす虞がある。
この場合、支持体と粘着剤の積層体の剛軟度が少なくとも１１ｍｍ以上であるのが好ましい（請求項２）。その理由は、支持体と粘着剤の積層体の剛軟度が１１ｍｍより小さいと貼るときにコシがなく皺が生じてしまい十分なサポート感やホールド感が得られないからである。
【手続補正４】
【補正対象書類名】明細書
【補正対象項目名】００１７
【補正方法】変更
【補正の内容】
【００１７】
本発明において、上記両腕部の開口側の先端角部が凸円弧状に形成されると共に、上記両腕部の基端側と上記連結部を結ぶ外側辺が内方に凹んだ緩やかな曲線状に形成されているのが好ましい（請求項３）
【手続補正５】
【補正対象書類名】明細書
【補正対象項目名】００１９
【補正方法】変更
【補正の内容】
【００１９】
また、本発明において、上記連結部における上記凹部と対向する外側辺が凹円弧状に形成されているのが好ましい（請求項４）。このように構成することにより、全体的にめくれあがるのを抑制することができる。
【手続補正６】
【補正対象書類名】明細書
【補正対象項目名】００２０
【補正方法】変更
【補正の内容】
【００２０】
また、本発明において、上記粘着剤に、サリチル酸メチル、l-メントール、カンフル、ノニル酸ワニリルアミド等の薬効成分を１種又は２種以上含有するのが好ましい（請求項５）。
【手続補正７】
【補正対象書類名】明細書
【補正対象項目名】００２２
【補正方法】変更
【補正の内容】
【００２２】
また、本発明において、貼りやすくするためのコシがあり、関節部に貼付したときにサポート感やホールド感が感じられ、衣服に引っかかってめくれるのを抑制するために、また、貼付時の関節部の負担を軽減するために、関節部貼付材としての物性は、上記支持体と粘着剤の積層体の総厚が０．５５〜０．７５ｍｍの範囲であるのが好ましい（請求項６）。
【手続補正８】
【補正対象書類名】明細書
【補正対象項目名】００２４
【補正方法】変更
【補正の内容】
【００２４】
加えて、本発明において、上記粘着剤に対して剥離可能なライナーを更に具備し、上記ライナーは、上記凹部の底部における中心から偏倚した位置と上記連結部の曲線状外側辺の位置とを結ぶ一対のスリットによって三分割に形成されているのが好ましい（請求項７）。この場合、上記スリットは直線上であっても差し支えないが、好ましくは波形曲線状に形成されているのがよい（請求項８）。
【手続補正９】
【補正対象書類名】明細書
【補正対象項目名】００２５
【補正方法】変更
【補正の内容】
【００２５】
このように構成することにより、貼付する際に三分割されたライナーを１枚ずつ剥がして関節部に貼付することができる。この場合、三分割された中央部を広くすることができるので、位置合わせを容易にすることができる。また、スリットは対角線に近い位置に設けられるので、剥離時の向きを大きく変えることがなく、貼り皺を抑制することができる。また、この場合、スリットを波形曲線状に形成することにより、２〜３枚目のライナーのつかみ部を３箇所設けることができ、ライナーの剥離を容易にすることができる（請求項８）。
【手続補正１０】
【補正対象書類名】明細書
【補正対象項目名】００２７
【補正方法】変更
【補正の内容】
【００２７】
（１）請求項１〜４に記載の発明によれば、関節の一部を開放した状態で関節の突起部分を凹部と一対の腕部とで包み込むようにして貼付することができるので、関節部に貼付する場合でも容易にかつ皺が発生することが少なく貼付することができる。また、関節を包み込むように貼付することにより関節の動きを適度に制限しテーピング効果が得られる。また、両腕部の基端側と連結部を結ぶ外側辺が内方に凹んだ緩やかな曲線状に形成することで、全体的にめくれあがるのを抑制することができる。
【手続補正１１】
【補正対象書類名】明細書
【補正対象項目名】００２８
【補正方法】変更
【補正の内容】
【００２８】
（２）請求項５に記載の発明によれば、上記（１）に加えて、更に薬効成分による消炎鎮痛剤の浸透で関節痛を緩和することができる。したがって、関節痛で運動を敬遠している者にとっては、運動ができるレベルまで痛みを和らげることができる。
【手続補正１２】
【補正対象書類名】明細書
【補正対象項目名】００２９
【補正方法】変更
【補正の内容】
【００２９】
（３）請求項６に記載の発明によれば、上記（１），（２）に加えて、更に容易にかつ皺が発生することが少なく貼付することができ、その支持体の性状、形状から端部が衣服に擦れても剥れ難く、剥れても支持体側に丸まり難いため衣服にくっつき難くすることができる。また、貼付時の関節部の負担を軽減できる。
【手続補正１３】
【補正対象書類名】明細書
【補正対象項目名】００３０
【補正方法】変更
【補正の内容】
【００３０】
（４）請求項７に記載の発明によれば、貼付する際に三分割されたライナーを１枚ずつ剥がして関節部に貼付することができるので、上記（１）〜（３）に加えて、更に容易にかつ確実に貼付することができる。この場合、スリットを波形曲線状に形成することにより、２〜３枚目のライナーのつかみ部を３箇所設けることで、ライナーの剥離を容易にすることができるので、更に容易にかつ確実に貼付することができる（請求項８）。